(57)【要約】【課題】  室内のベッド、ソファー、キャビネット等家具類の下部空間は、利用する手段がない、本の積読、一時的に使用する情報機器類の置き場、使用する事がない物の置き場にするなど利用が限られ、その上ゴミの溜まる場に常態化している。【解決手段】  上記問題点を解決するために、図１に示す保管移動台を活用することで家具類の下部空間を利用できる。キャスターなしであるノンキャスター保管移動台に清掃機能部、引き手部を配備することで積読、一時置きが可能となり、座りながら積読できる。日常使用する日用品の保管取出しが容易にできる。またノンキャスター保管移動台の移動で床面清掃ができる。上述のように価値ある機能を持つノンキャスター保管移動台を提供することができる。【選択図】図１
2018068386.tif 000002
【特許請求の範囲】
【請求項１】
物を置く保管板に、清掃機能、引き機能,、奥入れ機能を配置することを特徴する、ノンキャスター保管移動台。
【請求項２】
前記保管板は、平面形状または端部をＬ形状で形成することを特徴とする請求項１記載のノンキャスター保管移動台。
【請求項３】
前記清掃機能は、前記保管板の端部に配置し、前記保管板移動時に床を清掃することを特徴とする請求項１記載のノンキャスター保管移動台。
【請求項４】
前記引き機能は、前記保管板の端部に配置し、保管板引き移動に引き手となることを特徴とする請求項１記載のノンキャスター保管移動台。
【請求項５】
前記奥入れ機能は、軟性の保管板の端部または中央部に配置し、保管板奥入れ移動時に平面保持、押力伝達となることを特徴とする請求項１記載のノンキャスター保管移動台。
【発明の詳細な説明】
【技術分野】
【０００１】
本発明は、ベッド、ソファー、キャビネット等家具類下に生じる下部空間部を利用する、物置き、清掃、移動できるノンキャスター保管移動台に関する。
【背景技術】
【０００２】
ベッド、ソファー、キャビネット等家具類の下空間は、本の積読、一時的に使用する情報機器類の置き場、使用する事がない物の置き場と利用が限られ、その上ゴミの溜まる場に常態化している。
前述の利用例から、使用時に取出し、奥入れに困難性があり、またゴミ清掃まで考慮することがなかった。
【０００３】
前記問題の解決の一例として、物の取出し、戻しの移動を容易するキャスター付き机下台が提供されている。（非特許文献１参照）
物の取出し、戻しは可能となるが、キャスター含む高さが４８ｍｍ有り下部空間の有効活用が半減する。また、低い下部空間部の清掃は、別途ゴミ清掃を実施する必要がある。
【先行技術文献】
【非特許文献】
【０００４】
【非特許文献１】株式会社リヒトラブ  パーソナル用品  机下台（スライド式）
【発明の概要】
【発明が解決しようとする課題】
【０００５】
従来ベッド、ソファー、キャビネット等家具類の下空間は、高さが低い、取出し、奥入れが困難で使用されず、また奥部の清掃が不便であり、下部空間を活用することをしていなかった。
【０００６】
本発明は、上記従来の問題点を解決するものを提供することであり、ベッド、ソファー、キャビネット等家具類の下空間を置場として活用、清掃することができる、保管部を持ち、端部に清掃機能、引き機能、奥入れ機能を備えるノンキャスター保管移動台を提供することを目的とするものである。
【課題を解決するための手段】
【０００７】
本発明は上記課題を解決するため、物を置く保管板、その端部に、清掃機能、引き機能、奥入れ機能等を配置するものであり、
前記保管板は、平面形状または端部をＬ形状でなるものである。
前記保管板の端部に、清掃機能、引き機能、奥入れ機能を配置してなるものである。
【０００８】
前記清掃機能は、前記保管板の端部に配置し、引き，奥入れ移動時に床を清掃するものである。
【０００９】
前記引き機能は、前記保管板の端部に配置し、保管板引き移動時に引き手となるものである。
【００１０】
前記奥入れ機能は、前記保管板の平面保持し、押力を伝達するもので、中央部または両端部に配置し、保管板奥入れ移動時の平面保持、押力伝達となるものである。
【発明の効果】
【００１１】
上記のように構成された本発明は、ベッド、ソファー、キャビネット等家具類の低い下空間を物の保管に活用でき、清掃することができるノンキャスター保管移動台を提供することができる。
【図面の簡単な説明】
【００１２】
【図１】本発明の保管板に物を載せ、物を保管する実施例の概念図である。
【図２】本発明の一実施例で、保管板端部にＬ形状連結部を配置し、清掃道具を挿入連結することを示す概念図である。
【図３】本発明の一実施例で、保管板端部にＬ形状の引き機能を配置することを示す概念図である。
【図４】本発明の一実施例で、軟性保管板中央部、軟性保管板端部に押入れ機能を配置することを示す概念図である。
【図５】本発明の一実施例で、軟性保管板の端部に清掃機能と、引き機能とを配置し、引手部の連結、更に保管板中央部に奥入れ機能を配置し、奥入れ時の保管板平面保持することを示す概念図である。
【発明を実施するための形態】
【００１３】
以下、本発明の実施形態を図１〜図５に基づいて説明する。
【００１４】
図１には、本発明の一実施例である保管板の形状を示し、保管板１０、保管板１０上に保管物１Ａ、１Ｂを積載している状態を示している。
本図の保管板は、両端部をＬ形状に形成しているが、保管板の一つの端部をＬ形状部、もう一つの端部を平面形状にすることもできる。
【００１５】
図２は、本発明の一実施例で清掃道具２０と、保管板１０を示している。
保管板１０の端部をＬ形状に形成し、吸着材を取付けた清掃道具２０を挿入することを可能とし、ノンキャスター保管移動台の清掃機能を形成することができる。
【００１６】
図３は、保管板端部のＬ形状部は、引き機能、奥入れ機能を形成している。またＬ形状立面部に挿入穴１０Ａ１を形成し、引き機能の引き手部を連結することで、ノンキャスター保管移動台の引き機能を形成している。
【００１７】
図３は、保管板端部Ｌ形状部に引き機能、奥入れ機能を形成していが、保管板端部Ｌ形状部でなく、板端部平面部に引き機能、奥入れ機能を形成することもできる。
【００１８】
本発明の引き手部形成の具体例として、保管板Ｌ形状端部の挿入穴に布紐、プラスチック紐、革紐または紙紐を連結することが挙げられる。
【００１９】
図４は、保管板１０の中央部に補強材Ａ３０Ａを連結、また保管板１０の両端に補強材Ｂ３０Ｂ、補強材Ｃ３０Ｃを連結する状態を示している。
本図は、軟性の保管板１０を奥入れ移動時に、保管板１０Ａの平面保持と、押力を伝達することを目的とするもので、軟性の保管板両端間を平面保持する補強材Ａ３０Ａ、補強材Ｂ３０Ｂまたは補強材Ｃ３０Ｃを連結するものでノンキャスター保管移動台の奥入れ機能を形成することができる
【００２０】
図５は、軟性の保管板１０、清掃道具２０、引き手部４０、補強材Ａ３０Ａで連結構成するノンキャスター保管移動台の一例である。ベッド、ソファー、キャビネット等家具類の下空間を物の保管場として利用でき、さらにノンキャスター保管移動台の移動により清掃が可能となり、新たな清掃・保管器材となるノンキャスター保管移動台を形成するものである。
【００２１】
本発明で使用する保管板の材料として、軟性プラスチック、硬性プラスチック、木製板材、紙製板材が挙げられる。
【００２２】
本発明に使用する清掃道具の吸着材として、吸着紐、吸着性ダスタークロス、静電気ダスタークロス、マイクロクロスが挙げられる。
【００２３】
本発明で使用する補強材の材料として、プラスチック、鋼材、鋼管、線材、木材、竹材、紙製品が挙げられる。
【符号の説明】
【００２４】
１Ａ      保管物Ａ
１Ｂ      保管物Ｂ
１０      保管板
１０Ａ     保管板Ａ
１０Ａ１    引き機能部
２０       清掃具
３０Ａ    補強材Ａ
３０Ｂ    補強材Ｂ
３０Ｃ    補強材Ｃ
４０       引き手部
【図１】
2018068386.tif 000003
【図２】
2018068386.tif 000004
【図３】
2018068386.tif 000005
【図４】
2018068386.tif 000006
【図５】
2018068386.tif 000007
【手続補正書】
【提出日】平成29年10月24日(2017.10.24)
【手続補正１】
【補正対象書類名】明細書
【補正対象項目名】全文
【補正方法】変更
【補正の内容】
【発明の詳細な説明】
【技術分野】
【０００１】
本発明は、ベッド、ソファー、キャビネット等家具類の下部空間を利用する、物置き、清掃、移動できるノンキャスター保管移動台に関する。
【背景技術】
【０００２】
ベッド、ソファー、キャビネット等家具類の下部空間は、本の積読、一時的に使用する情報機器類の置き場、使用する事がない物の置き場に利用され、その上ゴミの溜まる場に常態化している。
前述の利用例から、使用時に取出し、奥入れに困難性があり、また清掃することを考慮することがなかった。
【０００３】
前記問題の解決の一例として、物の取出し、奥入れの移動を容易するキャスター付き机下台が提供されている。（非特許文献１参照）
物の取出し、奥入れは可能となるが、キャスター含む高さが４８ｍｍ有り下部空間の有効活用が半減する。また下部空間の清掃は、取出し、奥入れと別に清掃する必要がある。
【先行技術文献】
【非特許文献】
【０００４】
【非特許文献１】株式会社リヒトラブ  パーソナル用品  机下台（スライド式）
【発明の概要】
【発明が解決しようとする課題】
【０００５】
従来ベッド、ソファー、キャビネット等家具類の下部空間は、高さが低い、取出し、奥入れが困難で使用されず、また下部空間の清掃が不便であり、下部空間を有効に活用することをしていなかった。
【０００６】
本発明は、上記従来の問題点を解決するものを提供することであり、ベッド、ソファー、キャビネット等家具類の下部空間を置場として活用、清掃することができる、保管移動台であり、保管移動台に清掃機能部、引き手部を備えるノンキャスター保管移動台を提供することを目的とするものである。
【課題を解決するための手段】
【０００７】
本発明は上記課題を解決するため、保管移動台であり、保管移動台端部に清掃機能部、引き手部を有するものであり、前記保管移動台端部は、平面形状、凸形状等からなる。
【０００８】
前記清掃機能部は、前記保管移動台端部に清掃具を取付けて移動と同時に床を清掃するものである。
【０００９】
前記引き手部は、前記保管移動台端部に引き手器具を取付けて移動用とするものである。
【発明の効果】
【００１０】
上記のように構成された本発明のノンキャスター保管移動台は、ベッド、ソファー、キャビネット等家具類の下部空間に物を保管するもので、下部空間の高さを有効活用すること、移動時に床清掃することができる。
【図面の簡単な説明】
【００１１】
【図１】本発明の保管移動台に物を載せ、物を保管する実施例の概念図である。
【図２】本発明の一実施例で、保管移動台端部にＬ形状部を配置し、清掃道具を挿入連結することを示す概念図である。
【図３】本発明の一実施例で、保管移動台端部にＬ形状の引き機能を配置することを示す概念図である。
【発明を実施するための形態】
【００１２】
以下、本発明の実施形態を図１〜図３の概念図に基づいて説明する。
【００１３】
図１には、本発明の一実施例である保管移動台の形状を示し、保管移動台１０上に保管物１Ａ、１Ｂを積載している状態を示している。
本図の保管移動台は、両端部をＬ形状に形成しているが、保管移動台端部を凸形状または平面形状とし、更に各形状の組合せも可能である。
【００１４】
図２は、本発明の一実施例で清掃具２０と、保管移動台１０を示している概念図である。
保管移動台１０の端部をＬ形状に形成し、吸着材を取付けた清掃具２０をＬ形状部に挿入することでノンキャスター保管移動台の清掃機能部とするものである。
【００１５】
図３は、保管移動台のＬ形状部に引き手器具挿入穴１０Ａ１を形成し、引き手器具を連結することで、ノンキャスター保管移動台の引き手部を形成している概念図である。
【００１６】
引き手器具の具体例として取手、布紐、プラスチック紐、革紐または紙紐が挙げられる。
【００１７】
ベッド、ソファー、キャビネット等家具類の下部空間を物の保管場として利用し、ノンキャスター保管移動台の移動により床清掃をすることができる。
【００１８】
本発明で使用する保管移動台の材料として、プラスチック、木製板材、紙製板材、アルミ材が挙げられる。
【００１９】
本発明に使用する清掃具の吸着材として、吸着紐、吸着性ダスタークロス、静電気ダスタークロス、マイクロクロスが挙げられる。
【００２０】
本発明の保管移動台底面に摩擦を減らすフッ素樹脂材を貼合わせ動かし易くする方法が挙げられる。
【符号の説明】
【００２１】
１Ａ      保管物Ａ
１Ｂ      保管物Ｂ
１０      保管移動台
１０Ａ    保管移動台Ａ
１０Ａ１  引き手器具挿入穴
２０     清掃具
【手続補正２】
【補正対象書類名】特許請求の範囲
【補正対象項目名】全文
【補正方法】変更
【補正の内容】
【特許請求の範囲】
【請求項１】
家具の下部空間を利用する保管移動台であり、保管移動台に清掃機能部、引き手部を有することを特徴する、ノンキャスター保管移動台。
【請求項２】
前記清掃機能部は、前記保管移動台の移動と同時に清掃するもので、保管移動台端部に清掃具を有することを特徴とする、請求項１記載のノンキャスター保管移動台
【請求項３】
前記引き手部は、前記保管移動台の移動時に使用するもので、保管移動台端部に引き手器具を取付けてなることを特徴とする、請求項１記載のノンキャスター保管移動台。
【手続補正４】
【補正対象書類名】図面
【補正対象項目名】図４
【補正方法】削除
【補正の内容】
【手続補正５】
【補正対象書類名】図面
【補正対象項目名】図５
【補正方法】削除
【補正の内容】